(57)【要約】スパカプセルは、人を収容するための包囲空間を形成する小室とヒンジ結合された蓋とを有している。この包囲された空間内では、人の聴覚、嗅覚、視覚及び触覚を刺激することによって、ある環境が擬似的に作られる。
2004526485.tif 000002
【特許請求の範囲】
【請求項１】
嗅覚を刺激することによって疑似環境を提供するために人の体を部分的に包囲するためのスパカプセルであって、
足側の端部と頭部側の端部とを有し且つ細長い蓋と組合わさる細長い小室であって、同小室と前記蓋とが包囲された空間を形成し、同包囲された空間内の臭気を解放するためにある種の芳香性物質を誘導するための手段を含んでいる小室を含んでいる、スパカプセル。
【請求項２】
請求項１に記載のスパカプセルであって、
前記小室と前記蓋とが、前記足側の端部に設けられたヒンジによって相互に結合され、同ヒンジは、前記蓋が前記小室から離れる方向に枢動して前記包囲された空間を開くことができるようになされた、スパカプセル。
【請求項３】
請求項２に記載のスパカプセルであって、
前記小室が、当該スパカプセルを動かすためのキャスタ上に取り付けられている、スパカプセル。
【請求項４】
請求項３に記載のスパカプセルであって、
前記小室が、人を支持するために、前記頭部側の端部から前記足側の端部まで延びているベッドを含んでいる、スパカプセル。
【請求項５】
請求項４に記載のスパカプセルであって、
前記細長い蓋が前記細長い小室とほぼ同じ長さである、スパカプセル。
【請求項６】
請求項１に記載のスパカプセルであって、
前記小室が、ある種の音を前記包囲された空間内に伝えることによって聴覚を刺激するための手段を含んでいる、スパカプセル。
【請求項７】
請求項１に記載のスパカプセルであって、
前記小室が、視覚映像を前記包囲された空間内に伝えることによって視覚を刺激するための手段を含んでいる、スパカプセル。
【請求項８】
請求項１に記載のスパカプセルであって、
前記小室が、ある種の音及びある種の視覚映像を前記包囲された空間内に伝えることによって聴覚及び視覚を刺激するための手段を含んでいる、スパカプセル。
【請求項９】
請求項８に記載のスパカプセルであって、
嗅覚、聴覚及び視覚を刺激する前記手段が、連続的で且つ種々の順序で作動するようになされた、スパカプセル。
【請求項１０】
請求項８に記載のスパカプセルであって、
嗅覚、聴覚及び視覚を刺激する前記手段が、同時に作動するようになされた、スパカプセル。
【請求項１１】
請求項６に記載のスパカプセルであって、
前記聴覚を刺激するための前記手段が、選択可能な音の発生源に作動可能に接続された前記小室内に配置されたスピーカーを含んでいる、スパカプセル。
【請求項１２】
請求項１１に記載のスパカプセルであって、
前記聴覚を刺激するための前記手段がヘッドホーンを含んでいる、スパカプセル。
【請求項１３】
請求項７に記載のスパカプセルであって、
前記視覚を刺激するための前記手段が、人の視野内に入る電子スクリーンを含んでおり、同スクリーンは映像発生源に作動可能に接続されている、スパカプセル。
【請求項１４】
請求項１３に記載のスパカプセルであって、
前記電子スクリーンが前記小室内に配置されており且つ人の視野内に前記スクリーンを配置するための光学的装置を含んでいる、スパカプセル。
【請求項１５】
請求項１４に記載のスパカプセルであって、
前記小室内にベッドが配置されており、同ベッドは、人の顔を俯せの状態で収容するための貫通穴を有しており、前記光学装置は、俯せの人の視野内に前記スクリーンを配置するために前記ベッドの下方に配置されている、スパカプセル。
【請求項１６】
請求項８に記載のスパカプセルであって、
前記小室が、前記包囲された空間内の熱及び光を変調させることによって触覚を刺激するための手段を含んでいる、スパカプセル。
【請求項１７】
請求項１６に記載のスパカプセルであって、
前記触覚を刺激するための手段が、体の特定の点に圧力をかけるマッサージ機構を含んでおり、同圧力は瞬間的で且つ反復性を有する、スパカプセル。
【請求項１８】
体の聴覚、嗅覚、視覚及び触覚を刺激することによって擬似環境を提供するために人の体を部分的に包囲するためのスパカプセルであって、
頭部側の端部と足側の端部とを有する小室を含み、同小室は、前記足側の端部においてヒンジ結合された蓋と組合わさり、前記小室と前記蓋とは包囲された空間を形成し、同小室は、前記包囲された空間内に、音、臭気、視覚映像及びマッサージを選択的に形成する手段を有しており、前記包囲された空間においては、各々の感覚が順番に又は同時に刺激することができるようになされた、スパカプセル。
【請求項１９】
請求項１８に記載のスパカプセルであって、
前記マッサージのための手段が、前記包囲された空間内に取り付けられた流体ノズルの可動な列であって前記包囲された空間に流体圧力のパルスを生成する加圧流体の供給源に断続的に接続されているノズルの列と、同ノズルの列の動き及び前記ノズルへの流体の流れを制御するために、前記列及び前記供給源に作動可能に結合されているコントローラと、を含んでいるスパカプセル。
【請求項２０】
請求項１９に記載のスパカプセルであって、
前記マッサージのための手段が、前記流体ノズルを取り巻いているプラスチックのライナーを含んでおり、同プラスチックのライナーは、同ライナーから当該スパカプセル内に配置された保持タンクまで延びている排出機構に接続されており、同保持タンクは、前記流体の再循環のために前記加圧流体の供給源に接続されている、スパカプセル。
【発明の詳細な説明】
【技術分野】
【０００１】
本発明は、物理療法の分野に関し、より特定すると、体に所望の感覚作用を与えることによってストレスを解放し且つ感覚を和らげるために使用される装置に関する。
【背景技術】
【０００２】
個人的な安寧のために、芳香性のオイル、芳香剤、入浴及びマッサージを用いることは、非常に古くからなされている。更に、美しい絵画を鑑賞し音楽を聴くことは、人の気分に対して有益であると長い間認識されて来た。
【０００３】
しかしながら、現代世界においては、必要な作業を行うことができる熟練者の欠乏により、または、このような施設に行くには費用及び時間が必要であることにより、これらのレクリエーションがほとんどの人々に利用し難いものとなって来た。これらの近代社会における不都合を解消すべく、一日のストレスを解放するためにおいて機械が採用されて来た。マッサージ、日焼け及び疑似無重力状態のための種々の機械的な装置が存在する。
【０００４】
従来技術に欠けているのは、ストレス及び精神的外傷の作用を改善するためにいくつかの異なる生物学的感覚を用いることが総合的に有益であるということへの、広範囲からのアプローチである。
【従来技術の説明】
【０００５】
水治療法の分野には、ウォーター（水による）マッサージに関する装置を含む、公知の従来技術が存在する。例えば、存続期間が満了した米国特許第４，１１２，９４３号には、バッグ内への脈動水流が生じせしめられる、閉じたバッグを使用することが開示されている。この装置は、筋肉の創傷等の治療のために、体の所望の治療箇所に配置することができる。米国特許第４，７５１，９１９号には、防水性のブランケットによって覆われた、仰向きになった人を支持するウォータージェットマッサージ装置が開示されている。ウォーターマッサージは、人が濡れることなく行われる。更に他の公知の特許では、座っている人へのドライ（濡れない）ウォーターマッサージの使用が開示されている。
【発明の開示】
【０００６】
一つの好ましい実施形態においては、スパ（温泉）カプセルは、人を収容するための包囲された空間を形成している、ヒンジ付きの蓋を備えた小室によって形成されている。包囲された空間内では、人の聴覚、嗅覚、視覚及び触覚を刺激することによって、疑似環境が形成される。
【０００７】
スパカプセルは、人の体を部分的に包囲して、ある種の芳香性の物質を誘導して、包囲された空間内の臭気を解放して嗅覚を刺激することによって疑似環境を提供する。カプセルは、人の頭から足まで延びていて、俯せの状態又は仰向けの状態の支持を提供するベッドを含んでいる。包囲体は、包囲された空間内にある種の音を伝えることによって聴覚を刺激し、且つ、包囲された空間内に同時に、または連続的に、または種々の順序で視覚映像を伝えることによって視覚を刺激するための手段を含んでいる。
【０００８】
触覚は、俯せになった又は仰向けになったユーザーに優しい圧力をかける水の噴射によるマッサージによって刺激される。この噴射は、ドライマッサージを可能にするために可撓性の包囲体内に含まれる。ウォータージェットによる包囲体は、体に密接し且つ殆どの体に刺激を提供するためにスパの全長に亘って移動可能である。
【０００９】
従って、本発明の目的は、治療学的な成果のために、包囲された環境内でいくつかの生物学的な感覚の刺激を感じさせることである。
本発明の更に別の目的は、聴覚，嗅覚，視覚及び触覚の刺激を含む選択された環境内に人を包囲する小室の使用方法を教示することである。
【００１０】
本発明の更にもう一つ別の目的は、特別なプログラムで人に対する選択された芳香、音、絵画及び物理的な接触を適用することを教示することである。
本発明のその他の目的及び利点は、図示及び例示によって本発明のある種の実施形態が示されている添付図面と組み合わせた以下の説明から明らかとなるであろう。図面は、本明細書の一部分を構成し且つ本発明の例示的な実施形態を含んでおり、本発明の種々の目的及び特徴を図示している。
【発明を詳細な説明】
【００１１】
図１のスパカプセル１０は、小室（キャビネット）１１と蓋１２とを有している。図示されているように、小室と頂部とは、包囲された空間を形成する閉塞状態において卵形状をしている。蓋１２が閉じられると、蓋１２の外周端縁１３と小室１１の外周端縁１４とは、相互に接して密封状態を形成する。卵形状のスパの小さい方の端部は、スパの内側に横たわっている人の足を収容する。蓋１２は小室１１よりも若干短く、蓋１２の大きい方の端部は開いている。開口部１５は、スパ内の人がスパの外側の空間と通じ合うのを可能にしている。小室と蓋とは、高強度のポリマーによって成形されるか又はアルミニウム若しくはその他の金属のような別の軽量材料によって作られても良い。
【００１２】
小室及び頂部は、蓋が開かれた即ち持ち上げられた位置にあるときに人がスパ内に入るのを可能にするように、点１６においてヒンジによって相互に結合されている。ヒンジは、頂部が小室から持ち上げられると自動的に持ち上がるようにバネによって負荷がかけられた機構６１を有していても良い。持ち上げられると蓋は、同蓋を閉じるように力がかけられるまで持ち上げられたままである。小室は、スパを制限された空間内で操作するのを可能にする回転キャスター５９上に取り付けられている。
【００１３】
小室の内側に仰向きの人を支持するためのベッド１７が設けられている。図２に見られるように、ベッドの頭部側の端部は、俯せの状態で横たわっているときに人の顔が占めるところの開口部１８を有している。開口部１８の両側には、弧状のアームレスト２３及び２４が設けられている。アームレストの支持面は、俯せの状態で肩への応力がより少ない向きを可能にするために、開口部１８を含むベッドの中央部分よりも幾分低く配置されている。ベッドは、安楽のためのパッド１９を含んでいても良い。ベッド１７とパッド１９とは、電気的に動力が付与される振動機能（図示せず）を有していても良い。
【００１４】
図２及び３には、より低い足側の端部からより高い頭部側の端部まで傾斜せしめられたベッド１７が示されている。ベッドの足側の端部は、自然な姿勢でベッドの端部の下方に俯せの人の足を受け入れるための空間２０によって設計されている。開口部１８もまた、首及び背中に応力をかけることなく、顔の周りにクッション支持面をも提供する。
【００１５】
図４に示されているように、開口部１８の下には、アームレスト２３及び２４に対するヒンジ結合部２２を有しているミラー２１が設けられている。ミラー２１は、ヒンジ２２を中心とするミラーの角度を変えるために、ヒンジの両端に回転調整部材２５を有している。小室１１内の棚２６上には、電子スクリーン２７が取り付けられている。この装置は、一般的なＴＶセット又はＣＲＴ（陰極線管）又はチューナーに接続されたＬＣＤ（液晶ディスプレイ）又は小室の内側若しくは外側若しくはその両方で制御されるＶＣＲであっても良い。ミラーの角度を調整することによって、体の大きさの異なる俯せの人が選択された視覚映像を見ることができる。
【００１６】
小室１１と蓋１２とは、多くのオーディオスピーカー２８又はヘッドホンジャック２９を有していても良い。スピーカー又はヘッドホンは、スパの内側の構成部品によって電力を供給されても良く又はスパの外側のサウンドシステムに接続されていても良い。いずれの場合においても、スパの内側の人は、スパに伝えられるべき音を選択することができる。この選択はベッド上のチャンネルセレクタ（図示せず）によってなされても良く、又は音はスパ１０内へ入る前に予め選択されても良い。
【００１７】
蓋１２は、その全長の主要部分に亘って延びている支持装置３０を有している。ノズル３２の列３１がこの支持装置から懸垂されている。ノズル列３１は、動力設備が付けられたプーリー３３及びエンドレスの可撓性駆動装置３４によって支持装置３０の長さに沿って前後に動く。ノズル列及びノズルの制御装置は、簡単なタイミング装置又はマイクロプロセッサ６０であっても良い。ノズル列が長手方向に移動するときに、ノズル３２は、包囲された空間内に流体のパルスを給送する。ノズルは、パルスを給送するために開いたり閉じたりしても良く、パルスは、圧力ポンプ３５によって開いたノズルを介して給送されても良い。ノズル列の移動速度及びパルスのタイミングは、特定のパターン又はランダムな適用を含むように予め選択しても良い。更に、ノズル列内でのノズルの動作も予め選択しても良い。
【００１８】
流体は液体であっても又は気体であっても良く、流体は香りをつけられていても良く又は芳香性の含有物質を含んでいても良い。スパはまた、芳香剤容器のための置き場所をも有していても良い。容器は、ユーザーが所望する種々の自然環境又は特別な嗅覚を刺激するために、種々の芳香を射出しても良い。
【００１９】
流体が液体である場合には、小室は、ユーザーを覆うように配置されるべき薄い織物又は膜の覆い４０を有していても良い。覆いの長手方向端縁は、スパの構成部品を密封するために、ベッド１７の両側に取り付けられても良い。
【００２０】
図２、３及び５に図示されているように、マッサージ液体は、中間保持リング６２によって外側リング６３に対して連続的に密封されている薄くて可撓性で不浸透性のライナー６１によってユーザーから隔離されている。堅牢な湾曲したプラスチックのプレート６４が、外側リング６３と保持リング６２との形状を維持している。プレート６４は、マッサージ液体がその中を通るのを許容するために、大きな開口部６５及び６６を有している。プレート６４は下方ジェット支え台６７に対して密封されており、ノズル３２は開口部６５及び６６を介して露出されている。下方ジェット支え台６７は、高圧シールによって上方ジェット支え台６８に結合されている。上方ジェット支え台６８は、液体供給ライン４０に接続されている。上方ジェット支え台６８は、液体入口を下方ジェット支え台６７内のノズルに接続している分配チャネル７１を含んでいる。上方ジェット支え台は、図５に示されているように、キャップ７２によって支持装置３０に摺動可能に取り付けられている。
【００２１】
マッサージ液体は、排水ライン３６及び３７によってノズル列３１の下方部分から抜き取られ、再循環のために保持タンク３８へ戻される。再循環を望まない場合には、保持タンク３８は排水管に接続しても良い。設置に応じて、スパは、流体がユーザーの皮膚に直接当たるのを許容する方法で不浸透性ライナー６１無しで使用しても良い。
【００２２】
図２及び３においては、ノズル列３１は、一組みの内側ノズル３８と外側ノズル３９とを有している。供給ライン４０が、液体の噴射のための圧力を供給する流体ポンプ４２に接続されている。ポンプ４２は、短いコネクタ４３によって保持タンク３８に接続されている。供給ライン及び排出ラインは、各々、ノズル列３１の最も長い移動距離に適応するための長さを有している。
【００２３】
図６に示された可撓性の駆動装置３４は、ノズル列３１を支持装置３０に沿って動かす。支持装置３０は、蓋１２の内側から懸垂されているロッド４７及び４８が形成されている。ノズル列は、ベアリング４９及び５０上でロッドに沿って摺動する。可撓性の流体供給ラインは図示されていないけれども、ノズル列への接続はポート５１及び５２において行われる。ノズル列の上方部分５３は、Ｏリング５５によって下方部分５４に対して密封されている。上方部分及び下方部分は、締結部材５６によって相互に締結されている。内側ノズル３８と外側ノズル３９とは、ノズル列内に形成された別個のチャネル５７及び５８によって供給されるように示されている。
【００２４】
本発明のスパは、ヘルスクラブ、病院、介護施設、ホテル、その他の商業施設及び家庭で使用されても良い。ユーザーは、景色、音、臭い及びマッサージの好きな組み合わせを作り上げるために機械の種々の特徴の中から選択する。ひとたびスパの中に入ると、ユーザーはリラックスすれば良いだけである。
【００２５】
以上、本発明のある種の形態を例示したが、本発明は、本明細書に記載され且つ示された特定の形態又は部品の配置構造に限定されるべきものではないことは理解されるべきである。本発明の範囲から逸脱することなく、種々の変更を施し得ること及び本発明は明細書及び図面に示され且つ記載されたものに限定されるものと考えられるべきではないことは、当業者に明らかとなるであろう。
【図面の簡単な説明】
【００２６】
【図１】図１は、本発明のスパの斜視図である。
【図２】図２は、外側部分及び蓋が取り外されたスパの斜視図である。
【図３】図３は、蓋が想像線によって示された別の斜視図である。
【図４】図４は、内部構成部品が想像線で示された側面図である。
【図５】図５は、流体列の分解図である。
【図６】図６は、流体ヘッドの分解図である。
【国際公開パンフレット】
2004526485.tif 000003
2004526485.tif 000004
2004526485.tif 000005
2004526485.tif 000006
2004526485.tif 000007
2004526485.tif 000008
2004526485.tif 000009
2004526485.tif 000010
2004526485.tif 000011
2004526485.tif 000012
2004526485.tif 000013
2004526485.tif 000014
2004526485.tif 000015
2004526485.tif 000016
2004526485.tif 000017
2004526485.tif 000018
2004526485.tif 000019
【国際公開パンフレット（コレクトバージョン）】
2004526485.tif 000020
2004526485.tif 000021
【国際調査報告】
2004526485.tif 000022
2004526485.tif 000023
2004526485.tif 000024